(57)【要約】【課題】画像データを記録すること。【解決手段】画像処理装置１０３は、ＲＡＷデータに基づいて、Ｇ１の色情報を含むＧ１面と、Ｒの色情報を含むＲ面と、Ｂの色情報を含むＢ面とを用いて、３色の色情報を１画素に持つＮ画素の画像データと、Ｇ２の色情報を１画素に持つＮ画素の画像データとを生成し、これらを関連付けて記憶媒体１０４に記録する。【選択図】図１
2012004806.tif 000002
【特許請求の範囲】
【請求項１】
２個の第１の色の画素と、１個の第２の色の画素と、１個の第３の色の画素との４画素を基本単位とし、該基本単位の４画素を複数出力する撮像素子から出力される画像信号を読み出す読み出し手段と、
前記読み出し手段により読み出された前記画像信号に基づいて、１個の前記第１の色の画素に基づく第１の情報と、１個の前記第２の色の画素に基づく第２の情報と、１個の前記第３の色の画素に基づく第３の情報とを１画素に持つ第１の画像データと、前記第１の画像データに用いられていない１個の前記第１の色の画素に基づく第４の情報を１画素に持つ第２の画像データとを作成する画像データ作成手段と、
前記画像データ作成手段によって作成された前記第１の画像データと前記第２の画像データとを関連付けて記憶媒体に記録する記録手段とを備えることを特徴とする画像記録装置。
【請求項２】
請求項１に記載の画像記録装置において、
前記第１の情報は、前記第１の色の画素の色情報であり、前記第２の情報は、前記第２の色の画素の色情報であり、前記第３の情報は、前記第３の色の画素の色情報であることを特徴とする画像記録装置。
【請求項３】
請求項１に記載の画像記録装置において、
前記第１の情報は、前記第１の色の画素の色情報、または前記第１の色の画素の色情報と前記第２の色の画素の色情報と前記第３の色の画素の色情報とに基づいて作成された輝度情報であり、前記第２の情報は、前記第２の色の画素の色情報と前記第１の色の画素の色情報との差分情報であり、前記第３の色情報は、前記第３の色の画素の色情報と前記第１の色の画素の色情報との差分情報であることを特徴とする画像記録装置。
【請求項４】
請求項１〜３のいずれか一項に記載の画像記録装置において、
前記画像データ作成手段は、前記読み出し手段により読み出された前記画像信号に対して階調変換を行い、階調変換後の画像信号に基づいて、前記第１の画像データと前記第２の画像データとを作成することを特徴とする画像記録装置。
【請求項５】
請求項４に記載の画像記録装置において、
前記画像データ作成手段は、前記読み出し手段により読み出された前記画像信号を１／２乗〜１／３乗させる階調変換関数、または前記読み出し手段により読み出された前記画像信号を原点付近ではリニア出力させ、全体として１／２乗〜１／３乗させる階調変換関数を用いて階調変換を行うことを特徴とする画像記録装置。
【請求項６】
請求項１〜５のいずれか一項に記載の画像記録装置において、
前記画像データ作成手段は、前記読み出し手段により読み出された前記画像信号に対してホワイトバランス処理を行い、ホワイトバランス処理後の画像信号に基づいて、前記第１の画像データと前記第２の画像データとを作成することを特徴とする画像記録装置。
【請求項７】
請求項１〜６のいずれか一項に記載の画像記録装置において、
前記記録手段は、前記第１の画像データを記録した画像ファイルのファイル名の一部と、前記第２の画像データを記録した画像ファイルのファイル名の一部とを共通にすることにより前記第１の画像データと前記第２の画像データとを関連付けることを特徴とする画像記録装置。
【請求項８】
請求項１〜６のいずれか一項に記載の画像記録装置において、
前記記録手段は、前記第１の画像データと前記第２の画像データとを１つの画像ファイルに記録することにより前記第１の画像データと前記第２の画像データとを関連付けることを特徴とする画像記録装置。
【請求項９】
２個の第１の色の画素と、１個の第２の色の画素と、１個の第３の色の画素との４画素を基本単位とし、該基本単位の４画素を複数出力する撮像素子から出力される画像信号を読み出す読み出し手段と、
前記読み出し手段により読み出された前記画像信号に基づいて、１個の前記第１の色の画素に基づく第１の情報を１画素に持つ第１の画像データと、１個の前記第２の色の画素に基づく第２の情報を１画素に持つ第２の画像データと、１個の前記第３の色の画素に基づく第３の情報を１画素に持つ第３の画像データと、前記第１の画像データに用いられていない１個の前記第１の色の画素に基づく第４の情報を１画素に持つ第４の画像データとを作成する画像データ作成手段と、
前記画像データ作成手段によって作成された前記第１の画像データ、前記第２の画像データと、前記第３の画像データ、および前記第４の画像データを関連付けて記憶媒体に記録する記録手段とを備えることを特徴とする画像記録装置。
【請求項１０】
２個の第１の色の画素と、１個の第２の色の画素と、１個の第３の色の画素との４画素を基本単位とし、該基本単位の４画素を複数出力する撮像素子から出力される画像信号を読み出す読み出し手順と、
前記読み出し手順で読み出した前記画像信号に基づいて、１個の前記第１の色の画素に基づく第１の情報と、１個の前記第２の色の画素に基づく第２の情報と、１個の前記第３の色の画素に基づく第３の情報とを１画素に持つ第１の画像データと、前記第１の画像データに用いられていない１個の前記第１の色の画素に基づく第４の情報を１画素に持つ第２の画像データとを作成する画像データ作成手順と、
前記画像データ作成手順で作成した前記第１の画像データと前記第２の画像データとを関連付けて記憶媒体に記録する記録手順とをコンピュータに実行させるための画像記録プログラム。
【請求項１１】
２個の第１の色の画素と、１個の第２の色の画素と、１個の第３の色の画素との４画素を基本単位とし、該基本単位の４画素を複数出力する撮像素子から出力される画像信号を読み出す読み出し手順と、
前記読み出し手順で読み出した前記画像信号に基づいて、１個の前記第１の色の画素に基づく第１の情報を１画素に持つ第１の画像データと、１個の前記第２の色の画素に基づく第２の情報を１画素に持つ第２の画像データと、１個の前記第３の色の画素に基づく第３の情報を１画素に持つ第３の画像データと、前記第１の画像データに用いられていない１個の前記第１の色の画素に基づく第４の情報を１画素に持つ第４の画像データとを作成する画像データ作成手順と、
前記画像データ作成手順で作成した前記第１の画像データ、前記第２の画像データと、前記第３の画像データ、および前記第４の画像データを関連付けて記憶媒体に記録する記録手順とをコンピュータに実行させるための画像記録プログラム。
【発明の詳細な説明】
【技術分野】
【０００１】
本発明は、画像記録装置、および画像記録プログラムに関する。
【背景技術】
【０００２】
次のような電子カメラが知られている。この電子カメラは、撮像によって得た画像データをＲＡＷデータとして記録することができる（例えば、特許文献１）。
【先行技術文献】
【特許文献】
【０００３】
【特許文献１】特開２００１−４５４２７号公報
【発明の概要】
【発明が解決しようとする課題】
【０００４】
しかしながら、従来の電子カメラでは、画像データをＲＡＷデータとして記録すると、画像サイズが大きく扱い難い可能性があった。
【課題を解決するための手段】
【０００５】
本発明による画像記録装置は、２個の第１の色の画素と、１個の第２の色の画素と、１個の第３の色の画素との４画素を基本単位とし、該基本単位の４画素を複数出力する撮像素子から出力される画像信号を読み出す読み出し手段と、読み出し手段により読み出された画像信号に基づいて、１個の第１の色の画素に基づく第１の情報と、１個の第２の色の画素に基づく第２の情報と、１個の第３の色の画素に基づく第３の情報とを１画素に持つ第１の画像データと、第１の画像データに用いられていない１個の第１の色の画素に基づく第４の情報を１画素に持つ第２の画像データとを作成する画像データ作成手段と、画像データ作成手段によって作成された第１の画像データと第２の画像データとを関連付けて記憶媒体に記録する記録手段とを備えることを特徴とする。
本発明では、第１の情報は、第１の色の画素の色情報であり、第２の情報は、第２の色の画素の色情報であり、第３の情報は、第３の色の画素の色情報であってもよい。
第１の情報は、第１の色の画素の色情報、または第１の色の画素の色情報と第２の色の画素の色情報と第３の色の画素の色情報とに基づいて作成された輝度情報であり、第２の情報は、第２の色の画素の色情報と第１の色の画素の色情報との差分情報であり、第３の色情報は、第３の色の画素の色情報と第１の色の画素の色情報との差分情報であってもよい。
画像データ作成手段は、読み出し手段により読み出された画像信号に対して階調変換を行い、階調変換後の画像信号に基づいて、第１の画像データと第２の画像データとを作成するようにしてもよい。
画像データ作成手段は、読み出し手段により読み出された画像信号を１／２乗〜１／３乗させる階調変換関数、または読み出し手段により読み出された画像信号を原点付近ではリニア出力させ、全体として１／２乗〜１／３乗させる階調変換関数を用いて階調変換を行うようにしてもよい。
画像データ作成手段は、読み出し手段により読み出された画像信号に対してホワイトバランス処理を行い、ホワイトバランス処理後の画像信号に基づいて、第１の画像データと第２の画像データとを作成するようにしてもよい。
記録手段は、第１の画像データを記録した画像ファイルのファイル名の一部と、第２の画像データを記録した画像ファイルのファイル名の一部とを共通にすることにより第１の画像データと第２の画像データとを関連付けるようにしてもよい。
記録手段は、第１の画像データと第２の画像データとを１つの画像ファイルに記録することにより第１の画像データと第２の画像データとを関連付けるようにしてもよい。
本発明による画像記録装置はまた、２個の第１の色の画素と、１個の第２の色の画素と、１個の第３の色の画素との４画素を基本単位とし、該基本単位の４画素を複数出力する撮像素子から出力される画像信号を読み出す読み出し手段と、読み出し手段により読み出された画像信号に基づいて、１個の第１の色の画素に基づく第１の情報を１画素に持つ第１の画像データと、１個の第２の色の画素に基づく第２の情報を１画素に持つ第２の画像データと、１個の第３の色の画素に基づく第３の情報を１画素に持つ第３の画像データと、第１の画像データに用いられていない１個の第１の色の画素に基づく第４の情報を１画素に持つ第４の画像データとを作成する画像データ作成手段と、画像データ作成手段によって作成された第１の画像データ、第２の画像データと、第３の画像データ、および第４の画像データを関連付けて記憶媒体に記録する記録手段とを備えることを特徴とする。
本発明による画像記録プログラムは、２個の第１の色の画素と、１個の第２の色の画素と、１個の第３の色の画素との４画素を基本単位とし、該基本単位の４画素を複数出力する撮像素子から出力される画像信号を読み出す読み出し手順と、読み出し手順で読み出した画像信号に基づいて、１個の第１の色の画素に基づく第１の情報と、１個の第２の色の画素に基づく第２の情報と、１個の第３の色の画素に基づく第３の情報とを１画素に持つ第１の画像データと、第１の画像データに用いられていない１個の第１の色の画素に基づく第４の情報を１画素に持つ第２の画像データとを作成する画像データ作成手順と、画像データ作成手順で作成した第１の画像データと第２の画像データとを関連付けて記憶媒体に記録する記録手順とをコンピュータに実行させることを特徴とする。
本発明による画像記録プログラムはまた、２個の第１の色の画素と、１個の第２の色の画素と、１個の第３の色の画素との４画素を基本単位とし、該基本単位の４画素を複数出力する撮像素子から出力される画像信号を読み出す読み出し手順と、読み出し手順で読み出した画像信号に基づいて、１個の第１の色の画素に基づく第１の情報を１画素に持つ第１の画像データと、１個の第２の色の画素に基づく第２の情報を１画素に持つ第２の画像データと、１個の第３の色の画素に基づく第３の情報を１画素に持つ第３の画像データと、第１の画像データに用いられていない１個の第１の色の画素に基づく第４の情報を１画素に持つ第４の画像データとを作成する画像データ作成手順と、画像データ作成手順で作成した第１の画像データ、第２の画像データと、第３の画像データ、および第４の画像データを関連付けて記憶媒体に記録する記録手順とをコンピュータに実行させることを特徴とする。
【発明の効果】
【０００６】
本発明によれば、画像サイズを小さくして扱い易くすることができる。
【図面の簡単な説明】
【０００７】
【図１】カメラの一実施の形態の構成を示すブロック図である。
【図２】Ｂａｙｅｒ配列の具体例を示す図である。
【図３】画像データ３ａ、３ｂの具体例を示す図である。
【図４】画像データ３ａ、４ａの具体例を示す図である。
【図５】Ｇ１画素位置におけるＲ値とＢ値の推定方法の具体例を示す図である。
【図６】階調変換特性ｆ（ｘ）の具体例を示す図である。
【発明を実施するための形態】
【０００８】
―第１の実施の形態―
図１は、第１の実施の形態におけるカメラの一実施の形態の構成を示すブロック図である。カメラ１００は、撮影レンズ１０１と、撮像素子１０２と、画像処理装置１０３と、記憶媒体１０４とを備えている。本実施の形態における撮像素子１０２は、ベイア配列のＲＧＢカラーフィルタが配置された単板撮像素子であり、撮影レンズ１０１により結像した被写体像を撮像する。そして、撮像によって取得した画像信号を画像処理装置１０３へ出力する。画像処理装置１０３は、ＣＰＵやメモリ等から構成され、入力された画像信号に対して画像処理を施す。記憶媒体１０４は、例えば、カメラ１００に搭載された内部メモリや、メモリカードスロットに挿入されるメモリカード等の外部メモリであって、画像処理装置１０３によって画像処理が施された後の画像データを記録するためのものである。
【０００９】
ここで、本実施の形態における撮像素子１０２について説明する。図２に示すように、Ｂａｙｅｒ配列の基本単位２ａは、Ｇが２画素（図２ではＧ１、Ｇ２と表記）、Ｒが１画素、Ｂが１画素の４画素であり、これが繰り返される構造となっている。この基本単位２ａをＮ個持つ画像データ、すなわち４Ｎ個の画素を持つ画像データがＢａｙｅｒ配列のＲＡＷデータであり、撮像素子１０２は、該ＲＡＷデータを画像処理装置１０３へ出力する。なお、図２の例ではＲＡＷデータは３６画素（６画素×６画素）を有している。
【００１０】
このように撮像素子１０２から出力されるＲＡＷデータは、データサイズが大きく、このまま記録すると多くの記憶領域を消費する上に、使用者がデータを扱いにくくなる。そこで、本実施の形態では、画像処理装置１０３は、図３（ａ）に示すように、ＲＡＷデータに基づいて、Ｇ１の色情報を含むＧ１面と、Ｒの色情報を含むＲ面と、Ｂの色情報を含むＢ面とを用いて、３色の色情報を１画素に持つＮ画素の画像データ３ａを作成し、さらにＧ２の色情報を１画素に持つＮ画素の画像データ３ｂを生成する。そして、これらを記憶媒体１０４に記録する。
【００１１】
すなわち、図２に示した３６画素のＲＡＷデータは、図３（ｂ）に示すように、Ｒ、Ｇ１、Ｂの３面を持つ９画素（３画素×３画素）の画像データ３ａと、Ｇ２面のみの９画素（３画素×３画素）の画像データ３ｂとに変換されて記録されることになる。なお、画像処理装置１０３は、ＲＡＷデータにおける各Ｇ１画素のＧ１値と、該Ｇ１画素に隣接するＲ画素のＲ値とＢ画素のＢ値、すなわちＧ１画素の右側または左側のＲ画素のＲ値と、Ｇ１画素の上側または下側のＢ画素のＢ値とを用いて、画像データ３ａの１画素を生成する。
【００１２】
これによって、記録される画像データは、上記ＲＡＷデータよりも１／４のデータサイズの画像データ３ａと画像データ３ｂとで済むため、記録する画像データのサイズを小さくすることができ、使用者が画像データを扱いやすくなる。例えば、画像データ３ａと画像データ３ｂとをＪｐｅｇ形式の画像データに圧縮する場合には、ＲＡＷデータとして記録する場合、２４００万画素のＲＡＷデータのデータサイズが３６ＭＢである場合には、その１／４の６００万画素のＪｐｅｇデータのデータサイズは３ＭＢ程度となり、これを２枚記録するだけで済むため、ＲＡＷデータを記録するよりも大幅にデータサイズを小さくすることができる。
【００１３】
また、画像データ３ａは、Ｇ１、Ｒ、Ｂの３色の色情報を持つため、使用者は、画像データ３ａを開くことにより、画像を閲覧することが可能となる。さらに、画像データ３ａと画像データ３ｂとを用いれば、ＲＡＷデータを復元することが可能であるため、これら２つの画像データ３ａと画像データ３ｂとを記録しておけば、ＲＡＷデータを保存した場合と同様に画像データを扱うことができる。
【００１４】
なお、画像データ３ａと画像データ３ｂとを記録するに当たっては、画像処理装置１０３は、両画像を関連付けて記録する。例えば、画像データ３ａのファイル名の一部と画像データ３ｂのファイル名の一部を共通にすることにより、両画像データを関連付けてもよい。あるいは、マルチピクチャフォーマットのように、１つの画像ファイル内に複数の画像データを記録することができるファイル形式を採用する場合には、画像データ３ａと画像データ３ｂとを１つのファイル内に記録することにより、両画像データを関連付けてもよい。これにより、使用者は、２つの画像データが１つのＲＡＷデータに基づいて作成された関連する画像データであることを識別することが可能となる。
【００１５】
―第２の実施の形態―
第２の実施の形態では、画像処理装置１０３は、図４に示すように、ＲＡＷデータに基づいて、Ｇ１の色情報を含むＧ１面と、Ｒの色情報を含むＲ面と、Ｂの色情報を含むＢ面とを用いて、３色の色情報を１画素に持つＮ画素の画像データ３ａを生成し、Ｇ２の色情報と、Ｒの色情報を含むＲ面と、Ｂの色情報を含むＢ面とを用いて、３色の色情報を１画素に持つＮ画素の画像データ４ａとを生成し、これらを記憶媒体１０４に記録する。
【００１６】
すなわち、図２に示した３６画素のＲＡＷデータは、Ｒ、Ｇ１、Ｂの３面を持つ９画素（３画素×３画素）の画像データ３ａと、Ｒ、Ｇ２、Ｂの３面を持つ９画素（３画素×３画素）の画像データ４ａとに変換されて記録されることになる。なお、この場合も画像処理装置１０３は、第１の実施の形態と同様に、画像データ３ａと画像データ４ａとを関連付けて記録する。
【００１７】
これによって、記録される画像データは、上記ＲＡＷデータよりも１／４のデータサイズの画像データ３ａと画像データ４ａとで済むため、記録する画像データのサイズを小さくすることができ、使用者が画像データを扱いやすくなる。また、画像データ３ａおよび画像データ４ａは、Ｒ、Ｇ、Ｂの３色の色情報を持つため、使用者は、画像データ３ａや画像データ４ａを開くことにより、画像を閲覧することが可能となる。さらに、画像データ３ａと画像データ４ａとを用いれば、ＲＡＷデータを復元することが可能であるため、これら２つの画像データ３ａと画像データ４ａとを記録しておけば、ＲＡＷデータを保存した場合と同様に画像データを扱うことができる。
【００１８】
―第３の実施の形態―
上述した第１の実施の形態では、Ｇ１の色情報を含むＧ１面と、Ｒの色情報を含むＲ面と、Ｂの色情報を含むＢ面とを用いて、３色の色情報を１画素に持つＮ画素の画像データ３ａを作成するようにした。また、第２の実施の形態では、Ｇ１の色情報を含むＧ１面と、Ｒの色情報を含むＲ面と、Ｂの色情報を含むＢ面とを用いて、３色の色情報を１画素に持つＮ画素の画像データ３ａを生成し、Ｇ２の色情報と、Ｒの色情報を含むＲ面と、Ｂの色情報を含むＢ面とを用いて、３色の色情報を１画素に持つＮ画素の画像データ４ａとを生成するようにした。
【００１９】
上述した第１および第２の実施の形態の方法によると、例えば、画像データ３ａを生成するために、図２に示したＲＡＷデータのＧ１画素に対して、その右側または左側のＲ画素と上側または下側のＢ画素とを用いて、３色の色情報をもつ１画素を生成する必要があった。すなわち、Ｇ１の画素位置には存在しないＲ値とＢ値の代わりに、隣接する画素のＲ値とＢ値とをそのまま用いて１画素を生成していた。
【００２０】
これに対して、第３の実施の形態では、画像処理装置１０３は、Ｇ１の画素位置には存在しないＲ値とＢ値を、隣接する画素のＲ値とＢ値とを用いて推定し、推定したＲ値とＢ値とを用いて１画素を生成する。具体的には、画像処理装置１０３は、Ｇ１画素の両隣に存在するＲ画素の平均値をＧ１画素位置におけるＲ値として推定し、Ｇ１画素の両隣に存在するＢ画素の平均値をＧ１画素位置におけるＢ値として推定する。そして、画像処理装置１０３は、Ｇ１値と、推定したＲ値およびＢ値を用いて、Ｇ１画素位置における３色の色情報をもつ１画素を生成する。これによって、Ｇ１画素位置におけるＲ値とＢ値とを精度高く推定して、画像データ３ａ、画像データ４ａを生成することが可能となる。
【００２１】
なお、Ｇ１画素位置におけるＲ値とＢ値との推定は、次のように行なってもよい。例えば、図５（ａ）に示すように、Ｇ１画素５ａの左側に存在するＲ画素をＲａ、Ｇ１画素をＧ１ａとし、Ｇ１画素５ａの右側に存在するＲ画素をＲｂ、Ｇ１画素をＧ１ｂとする。そして、画像処理装置１０３は、次式（１）により、Ｇ１画素位置におけるＲ値を推定する。
【数１】
2012004806.tif 000003
また、図５（ｂ）に示すように、Ｇ１画素５ａの上側に存在するＢ画素をＢｃ、Ｇ１画素をＧ１ｃとし、Ｇ１画素５ａの下側に存在するＢ画素をＢｄ、Ｇ１画素をＧ１ｄとする。そして、画像処理装置１０３は、次式（２）により、Ｇ１画素位置におけるＢ値を推定する。
【数２】
2012004806.tif 000004
このようにＧ１画素位置におけるＲ値とＢ値とを周囲の複数画素を用いて推定することにより、Ｒ値とＢ値との推定精度をさらに高くすることができる。
【００２２】
―第４の実施の形態―
上述した第１〜第３の実施の形態では、ＲＡＷデータと比べてデータサイズが１／４のＲＧＢ色空間の画像データ３ａ、３ｂ，４ａを生成して記録する例について説明した。第４の実施の形態では、第１〜第３の実施の形態で説明したように生成した画像データ３ａ、３ｂ，４ａのＲ面とＢ面を色差情報に変換して記録する例について説明する。これによって、さらに効率的に画像データを記録することが可能となる。
【００２３】
具体的には、画像処理装置１０３は、Ｇ面（Ｇ１面、Ｇ２面）はそのままにして、Ｒ面を次式（３）により色差Ｃｒに変換する。
Ｃｒ＝Ｒ−Ｇ  ・・・（３）
また、Ｂ面を次式（４）により色差Ｃｂに変換する。
Ｃｂ＝Ｂ−Ｇ  ・・・（４）
【００２４】
あるいは、Ｇ面を次式（５）により輝度情報Ｙに変換し、Ｒ面を次式（６）により色差Ｃｒに変換し、Ｂ面を次式（７）により色差Ｃｂに変換してもよい。
Ｙ＝αＲ＋βＧ＋γＢ  ・・・（５）
Ｃｒ＝Ｒ−Ｙ  ・・・（６）
Ｃｂ＝Ｂ−Ｙ  ・・・（７）
【００２５】
―第５の実施の形態―
第５の実施の形態では、上述した撮像素子１０２から出力されるデータを階調圧縮してから用いる方法について説明する。これによって、さらに効率的に画像データを記録することが可能となる。具体的には、画像処理装置１０３は、撮像素子１０２から出力される入力光強度にリニアな画素出力の階調変換特性ｆ（ｘ）をかけて階調変換を行ったＲ画素、Ｇ画素、Ｂ画素を用いて画像データ３ａ、３ｂ、４ａを生成するよりも、図６に示すような階調圧縮を行なうための階調変換特性ｆ（ｘ）をかけて階調変換を行ったＲ画素、Ｇ画素、Ｂ画素を用いて画像データ３ａ、３ｂ、４ａを生成した方が、画像データ３ａ、３ｂ、４ａのデータサイズを小さくできる。
【００２６】
よって、本実施の形態では、画像処理装置１０３は、撮像素子１０２から出力されるデータに対して図６に示す階調変換特性ｆ（ｘ）を用いて階調変換を行った後に、第１〜第４の実施の形態で上述した方法で画像データ３ａ、３ｂ、４ａを生成し、記憶媒体１０４へ記録する。なお、階調変換特性ｆ（ｘ）としては、図６（ａ）に示すような撮像素子１０２からの出力を１／２乗〜１／３乗させる次式（８）により表されるｆ（ｘ）や、図６（ｂ）に示すような原点付近ではリニア出力させ、全体として１／２乗〜１／３乗させる次式（９）により表されるｆ（ｘ）を用いればよい。
ｆ（ｘ）＝ｘγ    １／３＜γ＜１／２  ・・・（８）
ｆ（ｘ）＝ｘ／１２．９２  ；ｘ＜０．０４０４５
ｆ（ｘ）＝［（ｘ＋０．０５５）／１．０５５］２．４  ；ｘ  ｏｔｅｒｗｉｓｅ  ・・・（９）
【００２７】
―第６の実施の形態―
第１〜第４の実施の形態では、撮像素子１０２から出力される入力光強度に対してリニアナ画素出力のＲ画素、Ｇ画素、Ｂ画素を用い、第５の実施の形態では、撮像素子１０２から出力されるデータを階調圧縮してから用いる例について説明した。これらの場合、撮像素子１０２の特性や照明光の色温度等によってホワイトバランスが崩れた絵が得られる可能性があり、この場合は、３色の色情報を１画素に持つ画像データ３ａや画像データ４ａは、色バランスの悪い画像となってしまう。
【００２８】
そこで第６の実施の形態では、このような問題を解消するために、画像処理装置１０３は、撮像素子１０２から出力されるＲ画素の画素値とＢ画素の画素値に、公知の方法で算出したゲインをかけてホワイトバランス処理を行なう。例えば、Ｒ画素の画素値にはＧａｉｎＲ＝１．５をかけ、Ｂ画素の画素値にはＧａｉｎＢ＝２をかける。これによって、ホワイトバランスのとれた画像データを得ることができる。また、この場合、画像処理装置１０３は、記憶媒体１０４に記録する画像ファイルのヘッダ情報として、上記ＧａｉｎＲとＧａｉｎＢの値を記録するようにしてもよい。
【００２９】
―変形例―
なお、上述した実施の形態のカメラは、以下のように変形することもできる。
（１）上述した第１の実施の形態では、画像処理装置１０３は、３色の色情報を１画素に持つＮ画素の画像データ３ａと、Ｇ２の色情報を１画素に持つＮ画素の画像データ３ｂとを生成し、これらを関連付けて記憶媒体１０４に記録する例について説明した。しかしながら、画像処理装置１０３は、Ｇ１の色情報を１画素に持つＮ画素の画像データと、Ｒの色情報を１画素に持つＮ画素の画像データと、Ｂの色情報を１画素に持つＮ画素の画像データと、Ｇ２の色情報を１画素に持つＮ画素の画像データとをそれぞれ生成し、これらを関連付けて記憶媒体１０４に記録するようにしてもよい。
【００３０】
（２）上述した第１〜第６の実施の形態では、本発明をカメラ１００に適用する例について説明した。しかしながら、撮像素子で撮像されたデータを読み込んで画像処理を行なうことができる他の機器、例えばパソコン等にも本発明は適用可能である。
【００３１】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００３２】
１００  カメラ、１０１  撮影レンズ、１０２  撮像素子、１０３  画像処理装置、１０４  記憶媒体
【図１】
2012004806.tif 000005
【図２】
2012004806.tif 000006
【図３】
2012004806.tif 000007
【図４】
2012004806.tif 000008
【図５】
2012004806.tif 000009
【図６】
2012004806.tif 000010